(57)【特許請求の範囲】
【請求項１】
床基板上に表面床が、床基板上面に載置される弾性体からなる下部の台座と、表面床に当接して該表面床を上載する上部の表面床支持部材とを軸材で連結してなる支持脚により支持され、
上記表面床及び床基板の間に緩衝板が配置されて、該緩衝板により表面床及び床基板の間の空間が、表面床及び緩衝板の間に位置する第１空間部と、床基板及び緩衝板の間に位置する第２空間部とに区画形成され、
上記緩衝板には、上記支持脚が挿入される孔部が、該孔部と支持脚の軸材との間に第１及び第２空間部を連通する間隙が生じるように設けられていることを特徴とする遮音床構造。
【請求項２】
請求項１の遮音床構造において、
緩衝板には、第１及び第２空間部を連通する複数の孔部が設けられ、
上記複数の孔部の一部は支持脚が挿入されるものであることを特徴とする遮音床構造。
【請求項３】
請求項１又は２の遮音床構造において、
第１空間部に吸音材が設けられていることを特徴とする遮音床構造。
【請求項４】
既存の床仕上げ材及び／又は床下地材に複数の孔部を形成し、
弾性体からなる下部の台座と上部の表面床支持部材とを軸材で連結してなる支持脚を上記複数の孔部の一部に、上記床仕上げ材及び／又は床下地材に接触せずに孔部と支持脚の軸材との間に床仕上げ材及び／又は床下地材の上下両側の空間部を連通する間隙が生じるように挿入して、該支持脚を床基板上に上記台座が床基板上面に載置されるように設置し、
上記支持脚の表面床支持部材上に表面床を、該表面床支持部材が表面床下面に当接するように設けることを特徴とする遮音床構造の施工方法。
【発明の詳細な説明】
【０００１】
【発明の属する技術分野】
本発明は、アパートやマンション等の集合住宅、ビルや戸建住宅等に適用される遮音床構造及びその施工方法に関する技術分野に属する。
【０００２】
【従来の技術】
従来より、既存のアパートやマンション等の集合住宅、ビルや戸建住宅等の中古住宅において、洋室を新しい洋室に、或いは和室を新しい和室へ改修する場合、既存の床仕上げ材の上面に新規の床仕上げ材（フローリング、カーペット、畳等）を張り、既存の敷居上に新規の薄型敷居を取り付けることが一般的に行われている。
【０００３】
また、和室から洋室へ改修する場合は、既存の床仕上げ材としての畳を取り除いた後、既存の荒床上面に発泡プラスチック系床下地材を載置し、この発泡プラスチック系床下地材の両側面に補助部材を固定した後、発泡プラスチック系床下地材、補助部材の上面に新規の床仕上げ材を張り付けることが行われる。また、和室ないし洋室の間を全て洋室に改修する場合は、それら和室ないし洋室間の既存の敷居上部を切り落としてレベル調整を行う大引き根太構造としている。さらに、電気、ガス、水道等の配管配線工事が新たに必要な場合は、既存床仕上げ材を一部撤去して床基板の上に電気配線、ガス管、給水管等を設置した後、既存床仕上げ材の復元作業を行い、新たに床仕上げ材を施工している（図１０参照）。
【０００４】
また、上階から階下への音の伝搬を削減させる遮音構造にする場合は、既存の床仕上げ材及び床下地材（和室の場合は荒床）を取り除いた後、コンクリート等からなる床基板上にゴム製台座、軸材及び支持板からなる複数本の支持脚を載置固定して、この支持脚の支持板上に置床パネルを設置し、この置床パネルの上に制振材や遮音材からなる防音下地材、捨て貼り合板からなる床下地材等を敷設した後、フローリングやカーペット、畳等の床仕上げ材を新たに張り付けて置床（二重床）構造としている。
【０００５】
こうした置床構造に使用する支持脚のゴム製の台座は防振や防音を目的として一般に使用されており、その形状は円錐台状の台座に中空部を設けたものがある。
【０００６】
【発明が解決しようとする課題】
しかしながら、既存の床仕上げ材や床下地材を利用する大引き根太構造は廃材の量や解体費の削減にはつながるが、中古住宅は和室、洋室の床のレベルに差があることが多く、和室ないし洋室間を全て洋室にする場合は、和室ないし洋室間の既存敷居の上部を切り落としてレベル調整をしなければならず、施工が面倒になる。
【０００７】
また、新たな配管配線工事が必要な場合は、既存床仕上げ材を一部撤去して床基板の上に電気配線、ガス管、給水管等を設置するので、床面上から床基板に配管や配線をはわせる作業に手間や時間がかかる上、メンテナンスにも手間を要する。
【０００８】
さらに、既存の中古住宅では床基板の薄い（１１０ｍｍ）ものが多く、この中古住宅に大引き根太構法を用いると、上階床で発生する音が直接階下へ伝搬するため、床の遮音性能が非常に低くなる。
【０００９】
また、置床（二重床）構造は上下階の遮音性能の向上にはつながるが、既存床仕上げ材及び床下地材を取り除いた後、新たに支持脚や置床パネル、防音下地材、捨て貼り合板からなる床下地材等を敷設して床仕上げ材を張り付けるという、既存の部材を殆ど利用しない構法であるため、廃材の量や解体費が増える上、新たに必要な部材も多く、環境に配慮した構法とはいえなかった。
【００１０】
本発明は斯かる諸点に鑑みてなされたもので、その目的は、二重床構造に改良を加えることにより、施工や配管配線工事等を容易にし、廃材の量や解体費を低減しつつ、床の遮音性能を向上させて、上記の諸問題を一挙に解決しようとすることにある。
【００１１】
【課題を解決するための手段】
上記の目的を達成するために、請求項１の発明では、床基板上に表面床が、床基板上面に載置される弾性体からなる下部の台座、及び表面床に当接して該表面床を上載する上部の表面床支持部材を軸材で連結してなる支持脚により支持され、この表面床及び上記床基板の間に緩衝板が配置されて、該緩衝板により表面床及び床基板の間の空間が、表面床及び緩衝板の間に位置する第１空間部と、床基板及び緩衝板の間に位置する第２空間部とに区画形成され、この緩衝板には、上記支持脚が挿入される孔部が、該孔部と支持脚の軸材との間に第１及び第２空間部を連通する間隙が生じるように設けられていることを特徴とする。
【００１２】
上記の構成によると、床基板に対し表面床が支持脚により支持され、この支持脚が挿入される孔部を有する緩衝板が表面床と床基板との間に配置され、この緩衝板により表面床及び床基板の間が、表面床及び緩衝板の間に位置する上側の第１空間部と、床基板及び緩衝板の間に位置する下側の第２空間部とに区画されて、両空間部が上記支持脚挿入用の孔部と支持脚の軸材との間隙を介して連通しているので、支持脚上部の表面床支持部材の上面に表面床を設置すればよく、和室ないし洋室間の床のレベル差をなくすことができ、大引き根太構造のように既存敷居の上部を切り落としてレベル調整をしなくともよい。
【００１３】
また、ガス、水道、電気等の新たな配管配線工事が必要な場合は、それら配管・配線を緩衝板上に載置すればよいので、作業時間や手間が減少する上、メンテナンスも容易にできる。
【００１４】
さらに、中古住宅の床構造を改修する場合は、既存の部材（床仕上げ材や床下地材等）を殆ど取り除くことなく、それらを緩衝材として利用することができ、廃材量の削減、施工時間の短縮、解体費の減少や現場騒音の低下といった、環境に配慮した構法で改修することができる。
【００１５】
また、表面床から発生した衝撃音が床基板に直接伝搬するのを支持脚によって防ぐことができるため、遮音性能を大引き根太構造に対し、重量床衝撃音では例えば１ランク程度に、また軽量床衝撃音では例えば５ランク程度で大幅に向上させることができる。
【００１６】
また、置床構造であると、床仕上げ面からの加振による支持脚の変位によって、床下地材に瞬間的にたわみ現象が生じ、床基板と床下地材との空間部分の空気が直接に床基板を圧縮打撃する。これに対し、本発明の遮音床構造では、緩衝板が床基板と床下地材との空間部分に位置するため、初期の圧縮打撃が緩衝板を加振することにより、床基板への圧縮打撃が大きく緩和される。その上、空間部での横方向への空気の流動が発生するので、より分散された形でのエアロダンパー機能が発揮され、重量及び軽量床衝撃音の遮断性能が改善され、重量床衝撃音においては１ランクさらに向上する。
【００１７】
請求項２の発明では、上記緩衝板には、第１及び第２空間部を連通する複数の孔部が設けられ、これら複数の孔部の一部を支持脚が挿入されるものとする。
【００１８】
こうすると、緩衝板に開けられた複数の孔部は、支持脚挿入用のものばかりでなく、緩衝板上下の両空間部を連通する孔部としても設けられるので、レゾネーターの効果によって遮音性能がさらに向上する。
【００１９】
請求項３の発明では、上記第１空間部に吸音材が設けられている構造とする。このことで、第１空間部の吸音材が、表面床からの加振によって発生する初期の圧縮打撃を緩和させるので、遮音性能、特に軽量床衝撃音の遮音性能を向上させることができる。
【００２０】
請求項４の発明は遮音床構造の施工方法であり、まず、既存の床仕上げ材及び／又は床下地材に複数の孔部を形成する。次いで、弾性体からなる下部の台座と上部の表面床支持部材とを軸材で連結してなる支持脚を上記複数の孔部の一部に、上記床仕上げ材及び／又は床下地材に接触せずに孔部と支持脚の軸材との間に床仕上げ材及び／又は床下地材の上下両側の空間部を連通する間隙が生じるように挿入して、該支持脚を床基板上に上記台座が床基板上面に載置されるように設置する。そして、この支持脚の表面床支持部材上に表面床を、該表面床支持部材が表面床下面に当接するように設ける。
【００２１】
このことで、中古住宅の床構造を改修する場合に、既存の床仕上げ材や床下地材を殆ど取り除くことなく、それらを緩衝材として利用することができ、廃材量の削減、施工時間の短縮、解体費の減少や現場騒音の低下といった、環境に配慮した構法で改修することができる。
【００２２】
【発明の実施の形態】
（実施形態１）
図１は本発明の実施形態１に係る遮音床構造を示し、１は例えばアパートやマンション等の集合住宅、ビル等におけるコンクリートスラブ等の床基板（戸建住宅の床基板でもよい）、２は該床基板１の上側に所定の間隔をあけて配置される表面床であって、この表面床２は床パネルからなる床下地材３と、その上面に位置し、フローリングを構成する床仕上げ材４とからなる。
【００２３】
上記表面床２は上記床基板１上に複数の支持脚１０，１０，…により支持されている。この各支持脚１０は、上下方向に延びる丸棒状の軸材１１と、この軸材１１の下端部に一体的に取付固定され、軸材１１よりも大径の円錐台形状のゴム（弾性体）からなる台座１２と、軸材１１の上端部に一体的に取付固定された矩形板状の表面床支持部材１３とで構成されている。つまり、これら台座１２及び表面床支持部材１３は軸材１１により一体的に連結されている。上記台座１２は天然ゴム、イソプレンゴム、シリコンゴム等の合成ゴム等であればよく、その他の弾性体であってもよい。そして、この支持脚１０の台座１２は、床基板１上面に載置されている一方、表面床支持部材１３は表面床２の床下地材３下面に当接してそれを上載しており、この構造により表面床２が支持脚１０，１０，…により床基板１上に支持されている。
【００２４】
上記表面床２と床基板１との間には緩衝板１８が配置され、この緩衝板１８により表面床２と床基板１との間の空間が、表面床２及び緩衝板１８の間に位置する上側の第１空間部１９と、床基板１及び緩衝板１８の間に位置する下側の第２空間部２０とに区画形成されている。
【００２５】
上記緩衝板１８には上記支持脚１０，１０，…に対応した所定位置にそれぞれ各支持脚１０が挿入される支持脚挿入用の孔部２３，２３，…が開口されている。この各孔部２３は支持脚１０の軸材１１及び台座１２の外径よりも大径（例えば３０ｍｍ）とされており、この各孔部２３に支持脚１０が挿入された状態では、支持脚１０の軸材１１は孔部２３周囲の緩衝板１８との間に間隙が生じるようになっており、この孔部２３内の支持脚１０との間の間隙により緩衝板１８上側の第１空間部１９と緩衝板１８下側の第２空間部２０とが連通されている。尚、図１中、２４は緩衝板１８上に載置されたガスや水道等の配管又は電気の配線を表す配管・配線である。
【００２６】
したがって、この実施形態においては、表面床２が床基板１上に複数の支持脚１０，１０，…により支持されているので、各支持脚１０の表面床支持部材１３上面に表面床２の床下地材３及び床仕上げ材４を設置すればよく、和室ないし洋室間の床のレベル差をなくし、大引き根太構造（図１０参照）のように既存敷居の上部を切り落としてレベル調整をしなくともよい。
【００２７】
また、表面床２と床基板１との間に緩衝板１８が配置され、その孔部２３に各支持脚１０が挿入されているので、新たな配管又は配線の工事が必要な場合は、それらの配管・配線２４を緩衝板１８上に載置すればよく、配管工事又は配線工事の作業時間や手間が減少する上、それらのメンテナンスも容易になる。
【００２８】
さらに、表面床２が床基板１上に複数の支持脚１０，１０，…により支持されているので、表面床２から発生した衝撃音が床基板１に直接伝搬するのを支持脚１０，１０，…によって防ぐことができ、遮音性能を大引き根太構造に対し大幅に向上させることができる。
【００２９】
しかも、表面床２と床基板１とが両者の間に位置する緩衝板により上側の第１空間部１９と下側の第２空間部２０とに区画され、両空間部１９，２０が支持脚挿入用の孔部２３２３，…を介して連通しているので、置床構造のように、床仕上げ面からの加振による支持脚の変位により床下地材が瞬間的に撓んで、床基板と床下地材との空間部分の空気が直接に床基板を圧縮打撃する現象が生じることはなく、初期の圧縮打撃が緩衝板１８を加振して、床基板１への圧縮打撃が大きく緩和される上、第１空間部１９での横方向への空気の流動が発生し、より分散された形でエアロダンパー機能が発揮され、重量及び軽量床衝撃音の遮断性能がさらに向上する。
【００３０】
（実施形態２）
図２は本発明の実施形態２を示し（尚、以下の各実施形態では、図１と同じ部分については同じ符号を付してその詳細な説明は省略する）、他の構造の表面床２に適用したものである。
【００３１】
すなわち、この実施形態では、表面床２は実施形態１と同様に床下地材３と床仕上げ板とからなり、その床下地材３には各支持脚１０で支持しようとする位置に支持部材挿入孔５が開口されている。そして、支持脚１０下端部の台座１２は実施形態１と同様に円錐台形状のゴムからなるのに対し、支持脚１０上端部の表面床支持部材１３は実施形態１のものとは異なり、軸材１１の上端部に同心状に取り付けられる円柱状の大径部１４と、この大径部１４の上面に同心状に一体形成され、大径部１４よりも小径の円柱状の小径部１５とからなる２段構造とされている。上記下側の大径部１４は上記床下地材３の支持部材挿入孔５よりも大径で該支持部材挿入孔５に挿入不能であるのに対し、上側の小径部１５は支持部材挿入孔５よりも若干小径で該支持部材挿入孔５に挿入可能とされており、この表面床支持部材１３の小径部１５を支持部材挿入孔５に下側から挿入した状態で大径部１４上に支持部材挿入孔５周縁の床下地材３を載置することで、表面床２が床基板１上に支持脚１０により床下地材３を表面床支持部材１３にて係合された状態で支持されている。
【００３２】
また、緩衝板１８は上記実施形態１に比べて高い位置つまり上側の表面床２側に位置しており、第１空間部１９の高さは第２空間部２０よりも低くなっている。その他の構成は上記実施形態１と同様である。よって、この実施形態でも実施形態１と同様の作用効果を奏することができる。
【００３３】
（実施形態３）
図３は実施形態３を示し、緩衝板１８における孔部の構造を変えたものである。すなわち、この実施形態３では、実施形態１，２と同様に、緩衝板１８において各支持脚１０に対応する部分に該支持脚１０を挿入する支持脚挿入用孔部２３，２３，…が形成されている。
【００３４】
そして、緩衝板１８には上記支持脚挿入用孔部２３，２３，…の他に、緩衝板１８上側の第１空間部１９と下側の第２空間部２０とを連通させるための目的のみを持つ連通用孔部２５，２５，…が形成されている。よって、緩衝板１８には第１及び第２空間部１９，２０を連通する複数の孔部２３，２３，…，２５，２５，…が設けられ、これら複数の孔部２３，２３，…，２５，２５，…の一部のもの２３，２３，…は支持脚１０，１０，…が挿入されるものとされている。
【００３５】
上記各連通用孔部２５は支持脚挿入用孔部２３よりも小径のもので、遮音効果上、例えば１３〜１５ｍｍとするのが好ましいが、これに限らない。また、連通用孔部２５の設置個数は６４個／ｍ２（緩衝板１８の面積の０．８〜１．１％）とするのが遮音効果上好ましいが、これに限定されるものではない。
【００３６】
したがって、この実施形態においても上記実施形態１，２と同様の効果が得られる。特に、この実施形態の場合、緩衝板１８に開けられた複数の孔部２３，２３，…，２５，２５，…は、支持脚１０を挿入するためのものばかりでなく、緩衝板１８上下の両空間部１９，２０を連通するための連通用孔部２５，２５，…としても設けられるので、レゾネーターの効果によって遮断性能を向上することができる。
【００３７】
（実施形態４）
図４は実施形態４を示し、この実施形態では、緩衝板１８と表面床２の床下地材３との間の第１空間部１９に吸音材２７が配置されている。この吸音材２７は、例えばグラスウールやロックウール等の無機質繊維板やフェルト、軟質繊維板等からなる。尚、吸音材２７と支持脚１０との干渉を避けるために、吸音材２７に支持脚１０を挿通するための孔を開けてもよく、支持脚１０を除いた位置に吸音材２７を配置してもよい。
【００３８】
したがって、この実施形態においては、実施形態１，２の作用効果が得られることに加え、第１空間部１９の吸音材２７が、表面床２の床仕上げ材４表面からの加振によって発生する初期の圧縮打撃を緩和させるので、遮音性能、特に軽量床衝撃音の遮音性能を向上させることができる。
【００３９】
（実施形態５）
図５〜図９は本発明の実施形態５を示し、中古住宅の床構造を本発明の遮音床構造に改修するときの施工方法を示す。
【００４０】
すなわち、この実施形態では、図８に示すように、改修前の住宅に、図８で左側から第１洋室Ｒ１、第１和室Ｒ２、第２洋室Ｒ３及び第２和室Ｒ４が設けられており、図９に示すように、この第１和室Ｒ２及び第２洋室Ｒ３を新しい１つの洋室Ｒに変更するように改修する。尚、第１及び第２洋室Ｒ１，Ｒ３の床構造では、根太３１上に床仕上げ材３２が敷設されてフローリングが形成されている。また、第１及び第２和室Ｒ１，Ｒ４の床構造では床下地材としての荒床３３上に床仕上げ材として畳３４が敷設されている。３５は各室Ｒ１〜Ｒ４の周囲に設置された敷居、３６は土台である。
【００４１】
そして、図５及び図９に示すように、第１及び第２洋室Ｒ１，Ｒ３においては、床仕上げ材３２を緩衝板１８としてそれに支持脚挿入用孔部２３，２３，…を形成する（実施形態３のように連通用孔部２５，２５，…を形成してもよい）。また、第１及び第２和室Ｒ２，Ｒ４では、畳３４を剥ぐって取り除き、その下の荒床３３を緩衝板１８として該荒床３３に支持脚挿入用孔部２３，２３，…（及び連通用孔部２５，２５，…）を形成する。
【００４２】
次いで、図６及び図９に示すように、各室Ｒ１〜Ｒ４の緩衝板１８（洋室Ｒ１，Ｒ３では床仕上げ材３２、和室Ｒ２，Ｒ４では荒床３３）の各支持脚挿入用孔部２３に支持脚１０を台座１２側から孔部２３周りの床仕上げ材３２及び荒床３３（緩衝板１８）に接触しないように挿入してその台座１２を床基板１上に載置する。尚、洋室Ｒ１，Ｒ３に用いる支持脚１０は上記実施形態２の構造のもの（表面床支持部材１３の支持部材挿入孔５に挿入される小径部１５が形成されているもの）であり、和室Ｒ２，Ｒ４に用いられる支持脚１０は実施形態１の構造のもの（表面床支持部材１３が板状のもの）である。また、第２和室Ｒ４に用いられる支持脚１０の高さは第１和室Ｒ２に用いられる支持脚１０よりも低い。
【００４３】
そして、必要に応じて上記緩衝板１８上に配管・配線２４を設置し、その上に吸音材２７を載置した後、各支持脚１０の表面床支持部材１３に表面床２の床下地材３を載置支持する。このとき、洋室Ｒ１，Ｒ３においては、床下地材３の支持部材挿入孔５に表面床支持部材１３の小径部１５が挿入されて支持部材挿入孔５周囲の床下地材３が大径部１４に載置され、一方、和室Ｒ２，Ｒ４においては床下地材３の下面が表面床支持部材１３上面に載置される。第１和室Ｒ２及び第２洋室Ｒ３においては床下地材３が両室Ｒ２，Ｒ３に亘って連続するように両室Ｒ２，Ｒ３の間の敷居３５上に載置される。
【００４４】
この後、図７及び図９に示す如く、第１洋室Ｒ１の床下地材３上面に床仕上げ材４が、また第１和室Ｒ２及び第２洋室Ｒ３の床下地材３上面に床仕上げ材４がそれぞれ施工される。また、第２和室Ｒ４の床下地材３上面に上記他の室Ｒ１〜Ｒ３の床仕上げ材４と略同じ厚さの畳２８（改修前の畳３４より厚さが薄い）が敷設される。さらに、第１和室Ｒ２及び第２洋室Ｒ３の間の敷居３５は床下地材３及び床仕上げ材４により覆われるが、第１洋室Ｒ１及び第１和室Ｒ２の間の敷居３５、第２洋室Ｒ３及び第２和室Ｒ４の間の敷居３５、並びに第２和室Ｒ４の第２洋室Ｒ３と反対側にある敷居３５は、いずれも床下地材３と床仕上げ材４及び畳２８とからなる表面床２の上面よりも低い位置にあって段差が生じており、この各敷居３５上に表面床２と略同じ厚さの薄い新たな敷居２９が調整材３０（図７参照）を介して施工される。
【００４５】
以上により、第１和室Ｒ２及び第２洋室Ｒ３が１つの洋室Ｒに改修される。また、同時に、この新たな洋室Ｒ、第１洋室Ｒ１及び第２和室Ｒ４の床構造は、床基板１上に表面床２が弾性体からなる台座１２と、表面床支持部材１３と、これらを連結した軸材１１とからなる支持脚１０により支持され、これら表面床２及び床基板１の間に緩衝板１８が配置されて第１及び第２空間部１９，２０が形成され、この緩衝板１８に支持脚挿入用孔部２３，２３，…（及び連通用孔部２５，２５，…）が開口した遮音床構造に改修される。
【００４６】
尚、図１０は、図８に示す第１和室Ｒ２及び第２洋室Ｒ３を上記と同様に１つの洋室Ｒにするための大引き根太構造を示しており、この大引き根太構造では、第１和室Ｒ２における畳３４を取り除いた後、荒床３３上面に発泡プラスチック系床下地材３７を載置し、この発泡プラスチック系床下地材３７の両側面に補助部材３８，３８を固定した後、発泡プラスチック系床下地材３７及び補助部材３８，３８の上面に、第２洋室Ｒ３の床仕上げ材４上に亘る新規の床仕上げ材４を張り付ける。また、第１和室Ｒ２及び第２洋室Ｒ３の間の既存の敷居３５の上部を切り落としてレベル調整を行う。さらに、新たに電気、ガス、水道等の配管配線工事が必要な場合は、既存の床仕上げ材３２を一部撤去して床基板１の上に電気配線、ガス管、給水管等の配管・配線２４を設置した後、その既存の床仕上げ材３２の復元作業を行い、新たに床仕上げ材４を施工する。
【００４７】
したがって、この実施形態５のように改修施工を行うことにより、中古住宅の床構造の改修時に、大引き根太構造の如く既存の床仕上げ材３２や荒床３３等を殆ど取り除くことなく、それらを緩衝材１８として利用することができ、廃材量の削減、施工時間の短縮、解体費の減少や現場騒音の低下といった、環境に配慮した構法で改修することができる。
【００４８】
【実施例】
次に、具体的に実施した例について説明する。上記実施形態１，２の遮音床構造（本発明例）と大引き根太構造（図１０参照）とについて、ＪＩＳＡ  １４１８規格にてタッピングマシンによる軽量床衝撃テストとバングマシンによる重量床衝撃テストとを行った。軽量床衝撃音や重量床衝撃音は個体伝搬音であり、子供の飛び跳ねを想定した重量床衝撃音は大きな衝撃音である。実施形態１，２の遮音床構造についてのテスト結果を図１１に、また大引き根太構造についての結果を図１２にそれぞれ示す。
【００４９】
尚、参考に、日本建築学会で定める床衝撃音レベル（床衝撃音レベルに関する等級）を下記表１に示す。
【００５０】
【表１】
0004464015.tif 000002
【００５１】
大引き根太構造では、床仕上げ材４から発生した衝撃音が根太３１や土台３６を介して階下へ直接伝わるため、床基板１（床スラブ）の厚さが１１０mmの場合の遮音性能は重量床衝撃音でＬ−８０、軽量床衝撃音でＬ−７０であった。
【００５２】
これに対し、本発明例のものでは、床基板１の厚さが１１０mmの場合の遮音性能は重量床衝撃音でＬ−７５、軽量床衝撃音でＬ−４５と、大引き根太構造に対して、重量床衝撃音では１ランク、軽量床衝撃音では大幅（５ランク）に遮音性能が向上していることが判る。
【００５３】
【発明の効果】
以上説明したように、請求項１の発明では、弾性体からなる台座及び表面床支持部材を軸材により連結してなる支持脚により表面床を表面床支持部材に当接させて床基板上に支持し、この表面床と床基板との間に緩衝板を表面床及び床基板の間の空間が第１及び第２空間部が区画形成されるように配置し、この緩衝板に、支持脚が挿入される孔部を該孔部と支持脚の軸材との間に第１及び第２空間部を連通する間隙が生じるように設けた。また、請求項２の発明では、緩衝板に第１及び第２空間部を連通する複数の孔部を設け、これら複数の孔部の一部を支持脚が挿入されるものとした。これらの発明によれば、大引き根太構造のように既存敷居の上部を切り落としてレベル調整をせずとも済み、施工の容易化を図ることができる。また、新たな配管配線は緩衝板上に載置でき、作業時間や手間の減少、メンテナンスの容易化を図ることができる。さらに、床構造を改修する場合、既存の部材を緩衝材として利用して、改修時の廃材量の削減、施工時間の短縮、解体費の減少や現場騒音の低下を図ることができる。また、表面床から発生した衝撃音が床基板に直接伝搬するのを支持脚によって防いで、遮音性能を大引き根太構造に対し大幅に向上させることができる。さらにまた、床仕上げ面からの加振による支持脚の変位によって床下地材に瞬間的に生じたたわみ現象による初期の圧縮打撃が緩衝板を加振するので、床基板への圧縮打撃が大きく緩和される上、空間部での横方向への空気の流動が発生し、より分散された形でのエアロダンパー機能が発揮され、重量及び軽量床衝撃音の遮断性能がさらに向上する。
【００５４】
請求項３の発明によると、第１空間部に吸音材を設けたことにより、表面床からの加振によって発生する初期の圧縮打撃を吸音材で緩和して、遮音性能、特に軽量床衝撃音の遮音性能を向上させることができる。
【００５５】
請求項４の発明によると、既存の床仕上げ材及び／又は床下地材に複数の孔部を形成し、これら複数の孔部の一部に、弾性体からなる台座と表面床支持部材とを軸材で連結してなる支持脚を床仕上げ材及び／又は床下地材に接触せずに孔部と支持脚の軸材との間に床仕上げ材及び／又は床下地材の上下両側の空間部を連通する間隙が生じるように挿入して、支持脚を床基板上に台座が床基板上面に載置されるように設置し、その支持脚の表面床支持部材上に表面床を表面床支持部材が表面床下面に当接するように設けることにより、中古住宅の床構造を改修する場合に、既存の部材を緩衝材として利用して、廃材量の削減、施工時間の短縮、解体費の減少や現場騒音の低下といった、環境に配慮した構法で改修することができる。
【図面の簡単な説明】
【図１】  本発明の実施形態１に係る遮音床構造を示す断面図である。
【図２】  実施形態２に係る遮音床構造を示す図１相当図である。
【図３】  実施形態３に係る遮音床構造を分解して示す斜視図である。
【図４】  実施形態４に係る遮音床構造を示す図３相当図である。
【図５】  実施形態５において中古住宅の床構造を遮音床構造に改修するときの工程の前部を示す斜視図である。
【図６】  工程の中間部を示す図５相当図である。
【図７】  工程の後部を示す図５相当図である。
【図８】  実施形態５において遮音床構造に改修する前の中古住宅の床構造を示す断面図である。
【図９】  改修後の遮音床構造を示す図８相当図である。
【図１０】  改修のための大引き根太構造を示す図８相当図である。
【図１１】  遮音床構造の遮音性能を示す図である。
【図１２】  大引き根太構造の遮音性能を示す図である。
【符号の説明】
１  床基板
２  表面床
３  床下地材
４  床仕上げ板
１０  支持脚
１１  軸材
１２  台座
１３  表面床支持部材
１８  緩衝板
１９  第１空間部
２０  第２空間部
２３  支持脚挿入用孔部
２４  配管・配線
２５  連通用孔部
２７  吸音材
３２  既存床仕上げ材
３３  荒床（既存床下地材）
【図１】
0004464015.tif 000003
【図２】
0004464015.tif 000004
【図３】
0004464015.tif 000005
【図４】
0004464015.tif 000006
【図５】
0004464015.tif 000007
【図６】
0004464015.tif 000008
【図７】
0004464015.tif 000009
【図８】
0004464015.tif 000010
【図９】
0004464015.tif 000011
【図１０】
0004464015.tif 000012
【図１１】
0004464015.tif 000013
【図１２】
0004464015.tif 000014